(57)【要約】【課題】屋根材の施工現場における作業者の手間を削減でき、かつ屋根材の設置のために過度な精度が要求されない屋根材の施工方法を、提供する。【解決手段】屋根材１の施工方法は、複数の屋根材１を屋根面２に設置する方法である。屋根材１は、通常材１１と、原材をプレカットしたプレカット材１２とを含む。プレカット材１２を、屋根面２における軒側の辺と交差する第一隅辺３１及び第一隅辺３１とは反対側の第二隅辺３２のうち、第一隅辺３１のみに沿って設置する。プレカット材１２は、プレカット材１２の第一隅辺３１側の辺が屋根面２に設置された状態で第一隅辺３１に沿うように、プレカットされている。【選択図】図１
2020153119.tif 000002
【特許請求の範囲】
【請求項１】
複数の屋根材を屋根面に設置する施工方法であり、
前記屋根材は、通常材と、原材をプレカットしたプレカット材とを含み、
前記プレカット材を、前記屋根面における軒側の辺と交差する第一隅辺及び前記第一隅辺とは反対側の第二隅辺のうち、前記第一隅辺のみに沿って設置し、
前記プレカット材は、前記プレカット材の前記第一隅辺側の辺が前記屋根面に設置された状態で前記第一隅辺に沿うように、プレカットされている、
屋根材の施工方法。
【請求項２】
前記通常材及び前記原材は、その中心を通りかつ厚み方向に直交する中心線に対して線対称な形状を有する、
請求項１に記載の屋根材の施工方法。
【請求項３】
前記屋根材は、前記原材をプレカットすることにより前記プレカット材から切り離された残材から作製されたカット材を含み、
前記カット材を、そのまま又は更にカットしてから、前記屋根面の前記第一隅辺以外の少なくとも一つの辺に沿って設置する、
請求項１又は２に記載の屋根材の施工方法。
【請求項４】
原材をプレカットして作製され、屋根面における軒側の辺と交差する第一隅辺及び前記第一隅辺とは反対側の第二隅辺のうち、前記第一隅辺のみに沿って設置され、
前記第一隅辺側の辺が、前記屋根面に設置された状態で前記第一隅辺に沿うように、プレカットされている、
プレカット材。
【請求項５】
前記原材をプレカットすることにより請求項４に記載のプレカット材から切り離された残材から作製され、
そのまま又は更にカットされてから、前記屋根面の前記第一隅辺以外の少なくとも一つの辺に沿って設置される、
カット材。
【請求項６】
屋根面に設置される複数の屋根材からなる屋根材セットであり、
前記複数の屋根材は、請求項４に記載のプレカット材を含む、
屋根材セット。
【請求項７】
請求項５に記載のカット材を更に含む、
請求項６に記載の屋根材セット。
【発明の詳細な説明】
【技術分野】
【０００１】
本発明は、屋根材の施工方法、屋根に設置されるプレカット材、屋根に設置されるカット材及び屋根材セットに関する。
【背景技術】
【０００２】
屋根には、複数の屋根材が、例えば重ね葺きされるなどして設置される。屋根面に複数の屋根材を並べて設置する場合、屋根面の形状及び寸法は様々であるため、屋根材を特に屋根面の隅辺に沿って設置する場合は、屋根材が隅辺からはみ出し過ぎないように、必要に応じて、作業者が施工現場で屋根材をカットする必要があった。
【０００３】
屋根材のカットを施工現場で行うと、施工作業が煩雑になってしまう。また、施工現場で廃材が発生してしまうため、廃材の処理のために作業者の負担が大きくなってしまう。
【０００４】
そこで、寄棟屋根の隅棟部等に設置される瓦として、予め瓦を斜め方向などに切断した切断瓦を用い、この切断瓦の実寸はコンピュータプログラムを利用して算出することが提案されている（特許文献１参照）。
【先行技術文献】
【特許文献】
【０００５】
【特許文献１】特許第３９６２８３３号公報
【発明の概要】
【発明が解決しようとする課題】
【０００６】
しかし、屋根面の形状に合わせた屋根材のカットを、屋根材を施工現場に供する前にすべて行ってしまうと、屋根面や屋根材の寸法に誤差が生じている場合や、屋根面に屋根材を設置する際に位置ずれが生じた場合には、施工時に屋根材が屋根面の形状に合わなくなってしまう。そのため、屋根面及び屋根材の寸法並びに屋根材の設置位置に、非常に高い精度が要求され、施工現場における作業者の負担が大きくなってしまう。
【０００７】
そこで、本発明の課題は、屋根材の施工現場における作業者の手間を削減でき、かつ屋根材の設置のために過度な精度が要求されない屋根材の施工方法、並びにこの施工方法に適用できるプレカット材、カット材及び屋根材セットを、提供することである。
【課題を解決するための手段】
【０００８】
本発明の一態様に係る屋根材の施工方法は、複数の屋根材を屋根面に設置する施工方法であり、前記屋根材は、通常材と、原材をプレカットしたプレカット材とを含み、前記プレカット材を、前記屋根面における軒側の辺と交差する第一隅辺及び前記第一隅辺とは反対側の第二隅辺のうち、前記第一隅辺のみに沿って設置する。前記プレカット材は、前記プレカット材の前記第一隅辺側の辺が前記屋根面に設置された状態で前記第一隅辺に沿うように、プレカットされている。
【０００９】
本発明の一態様に係るプレカット材は、原材をプレカットして作製され、屋根面における軒側の辺と交差する第一隅辺及び前記第一隅辺とは反対側の第二隅辺のうち、前記第一隅辺のみに沿って設置される。前記プレカット材は、前記第一隅辺側の辺が、前記屋根面に設置された状態で前記第一隅辺に沿うように、プレカットされている。
【００１０】
本発明の一態様に係るカット材は、前記原材をプレカットすることにより前記プレカット材から切り離された残材から作製され、そのまま又は更にカットされてから、屋根面の前記第一隅辺以外の少なくとも一つの辺に沿って設置される。
【００１１】
本発明の一態様に係る屋根材セットは、屋根面に設置される複数の屋根材からなる屋根材セットであり、複数の屋根材は、前記プレカット材を含む。
【発明の効果】
【００１２】
本発明によれば、屋根材の施工現場における作業者の手間を削減でき、かつ過度な精度が要求されない屋根材の施工方法、並びにこの施工方法に適用できるプレカット材、カット材及び屋根材セットを提供できる。
【図面の簡単な説明】
【００１３】
【図１】図１は、本発明の一実施形態における屋根の平面図である。
【図２】図２は、同上の実施形態における一つの屋根面の一部を示す平面図である。
【図３】図３は、同上の実施形態における通常材及び原材を示す平面図である。
【図４】図４Ａから図４Ｆの各々は、同上の実施形態におけるプレカット材を示す平面図である。
【図５】図５Ａから図５Ｃの各々は、同上の実施形態におけるカット材を示す平面図である。
【図６】図６は、同上の実施形態における通常材及び原材の変形例を示す平面図である。
【図７】図７Ａは図３に示す原材のカット位置の例を示す平面図であり、図７Ｂは図６に示す原材のカット位置の例を示す平面図である。
【図８】図８は、同上の実施形態とは別の実施形態における屋根の平面図である。
【発明を実施するための形態】
【００１４】
以下、本発明の実施形態について説明する。
【００１５】
本実施形態に係る屋根材１の施工方法では、複数の屋根材１を建物の屋根の屋根面２に設置する。屋根材１は、通常材１１と、原材１０をプレカットしたプレカット材１２とを含む。なお、プレカットとは、屋根材１を屋根面の勾配、形状、寸法等に合わせて、工場等の生産工程において予め切断しておくことをいう。本方法では、プレカット材１２を、屋根面２における軒側の辺（軒辺５）と交差する第一隅辺３１と、この第一隅辺３１とは反対側にある第二隅辺３２とのうち、第一隅辺３１のみに沿って設置する。すなわち、第二隅辺３２に沿って設置される屋根材１は、プレカットされておらず、施工現場でカットされる。
【００１６】
なお、第一隅辺３１及び第二隅辺３２は、軒辺５と交差する関係にあれば、いかなる辺でもよく、例えば隅棟に臨む辺でもよく、谷に臨む辺でもよく、ケラバに臨む辺でもよい。
【００１７】
本実施形態では、屋根材１の施工現場では、作業者は第一隅辺３１に沿って屋根材１を設置する場合に、屋根材１を施工現場で第一隅辺３１に合うようにカットする必要が無くなり、その分だけ作業者の手間を削減できる。また屋根材１をカットすることに伴う廃材の発生が無いため、施工現場における廃材の処理の手間も削減できる。また、屋根面２の形状及び寸法が規格化されている場合には、特定の規格の屋根面２のためのプレカット材１２を在庫として保管しやすい。さらに、第二隅辺３２に沿って設置される屋根材１はプレカットされていないため、例えば施工現場において屋根材１を第二隅辺３２に合うようにカットしてから、第二隅辺３２に沿って設置できる。すなわち、屋根材１の寸法を、施工現場において、第二隅辺３２に沿って設置される屋根材１で調整できる。このため、屋根面２及び屋根材１の寸法、並びに屋根面２上における屋根材１の設置位置に、過度な精度は要求されなくなる。
【００１８】
本実施形態の更に具体的な構成について説明する。
【００１９】
図１に、本実施形態に係る施工方法により屋根材１が設置された屋根の例を示す。この屋根は、寄棟屋根である。
【００２０】
本実施形態では、屋根は四つの屋根面２を有する。屋根面２は、例えば下葺材が敷設された野地板の上面で構成される。
【００２１】
四つの屋根面２のうち二つの屋根面２１は、各々台形状であり、主棟に臨む棟辺４、軒先に臨む軒辺５、及び隅棟にそれぞれ臨む二つの隅辺３を有する。残りの二つの屋根面２２は、各々三角形状であり、軒先に臨む軒辺５、及び隅棟にそれぞれ臨む二つの隅辺３を有する。以下、各屋根面２の二つの隅辺３のうち一方を第一隅辺３１、他方を第二隅辺３２という。
【００２２】
なお、図１に示す例では、屋根面２１の有する二つの隅辺３のうち、屋根面２１を正面から見て左側にあるのが第一隅辺３１、右側にあるのが第二隅辺３２であるが、逆に右側にあるのが第一隅辺３１、左側にあるのが第二隅辺３２であってもよい。また「第一」及び「第二」という文言には、二つの隅辺３を区別する以上の意味はない。
【００２３】
屋根材１は、例えば平板状のスレート瓦である横葺き屋根材１であって、セメント系成形材料を成形し、養生硬化することで製造される。なお、屋根材１の形状及び材質は前記のみには限られない。
【００２４】
複数の屋根材１は、屋根面２に設置されている。本実施形態では、図２に示すように、屋根材１は、屋根面２上に千鳥状に（すなわち軒辺５に沿った方向の位置を順次ずらして）重ね葺きされている。
【００２５】
複数の屋根材１は、通常材１１及びプレカット材１２を含む、本実施形態では、屋根材１は、カット材１３を更に含む。複数の屋根材１は、いわば、通常材１１及びプレカット材１２を含み、或いは更にカット材１３を含む屋根材セットを構成している。
【００２６】
通常材１１は、屋根面２上の、屋根面２の有するいずれの辺にも沿わない位置に設置される屋根材１であるといえる。図３に示すように、通常材１１は、本実施形態では平板状であり、かつ平面視矩形状である。このため、通常材１１は、その中心を通りかつ厚み方向に直交する中心線Ｙに対して線対称な形状を有する。また、通常材１１は、その中心を通りかつ厚み方向に平行な軸Ｘを中心に１８０°回転させても回転前と同じ形状を有する。すなわち、通常材１１は、軸Ｘに沿った方向から見て軸Ｘに対して点対称な形状を有する。中心軸Ｙは通常材１１が屋根面２に設置された場合に軒先に沿う仮想軸である。通常材１１は、前述の対称性を有することが好ましく、前述の対称性を有すれば通常材１１の形状は本実施形態には限られない。なお本明細書中において「同じ形状」には、厳密な同一性までは要求されず、建築材の分野において同じ物とみなしうる程度に同じ形状であればよい。
【００２７】
プレカット材１２及びカット材１３は、原材１０から作製される。原材１０は、例えば通常材１１と同じ形状及び寸法を有する（図３参照）。すなわち、原材１０と通常材１１とは、用途が異なるだけで同じ物であってよい。
【００２８】
プレカット材１２は、屋根面２における、二つの隅辺３のうち第一隅辺３１に沿って設置されている。プレカット材１２は、その第一隅辺３１側の辺が、屋根面２に設置された状態で第一隅辺３１に沿うように、プレカットされている。プレカット材１２の形状は、屋根面２の勾配、形状及び寸法と、原材１０及び通常材１１の形状及び寸法と、屋根面２における屋根材１の配列の仕方とに基づいて、規定される。すなわち、これらの情報から、プレカット材１２に必要とされる形状が決定され、その結果に基づいて原材１０をプレカットすることで、プレカット材１２が得られる。本実施形態では、第一隅辺３１は軒辺５に対して傾斜しているので、図４Ａ〜図４Ｆに示されるように、原材１０を斜めにプレカットすることで、第一隅辺３１に沿って傾斜する傾斜辺７を有するプレカット材１２が得られる。複数のプレカット材１２は、屋根面２上の配置位置に応じて互いに異なる形状を有しうる。図４Ａ〜図４Ｆは、それぞれ図２におけるプレカット材１２ａ〜１２ｆの形状を、それぞれ示す。
【００２９】
カット材１３は、屋根面２における、二つの隅辺３のうち第一隅辺３１とは反対側の第二隅辺３２に沿って設置されている。カット材１３は、その第二隅辺３２側の辺が、屋根面２に設置された状態で第二隅辺３２に沿うような形状を有する。本実施形態では、第二隅辺３２は軒辺５に対して傾斜しているので、カット材１３の、第二隅辺３２側の辺は、第二隅辺３２に沿って傾斜する傾斜辺である。
【００３０】
カット材１３は、原材１０をプレカットすることによりプレカット材１２から切り離された部分（残材６）から作製される。カット材１３は、残材６そのものであってもよく、残材６を更にカットして作製されてもよい。原材１０が上述のような対称性を有すれば、プレカット材１２が傾斜辺７を有する場合に、残材６を中心軸Ｙで１８０°回転させると、残材６は第二隅辺３２の傾斜に沿った辺を有しうる。そのため、残材６からカット材１３を作製する際に廃材を削減しやすく、すなわち残材６を有効利用しやすい。
【００３１】
カット材１３は、屋根面２に設置された状態で第二隅辺３２側の辺が第二隅辺３２に沿うようにプレカットされているのではなく、施工現場において、第二隅辺３２側の辺が第二隅辺３２に沿うようにカットされる。すなわち、カット材１３は、屋根面２に合わせて予め寸法調整されてはいない。
【００３２】
カット材１３は互いに寸法の異なる複数種類のカット材１３を含んでもよい。カット材１３は、図５Ａに示す小カット材１３ａ、図５Ｂに示す中カット材１３ｂ及び図５Ｃに示す大カット材１３ｃを含んでもよい。これらのカット材１３ａ〜１３ｃは、互いに異なる寸法を有する。その場合、生産工程において残材６をその寸法に応じてカットすることで、寸法の異なる複数種類のカット材１３ａ〜１３ｃのいずれかを作製してもよい。この場合、カット材１３を規格化することで、在庫として保管しやすい。カット材１３を屋根面２に設置する場合は、カット材１３をそのまま、又は更にカットしてから、設置できる。すなわち、施工現場において、カット材１３は、第二隅辺３２側の辺が屋根面２に設置された状態で第二隅辺３２に沿うようにカットされてから設置される。カットされなくてもカット材１３の第二隅辺３２側の辺が偶然に屋根面２に設置された状態で第二隅辺３２に沿うならば、カット材１３はカットされずに設置される。
【００３３】
屋根面２に屋根材１を設置する手順の例について説明する。
【００３４】
まず軒辺５に沿って屋根材１を第一隅辺３１側から第二隅辺３２側に向けて、順次並べて設置する。屋根材１は、例えば釘打ち、金具による固定などの適宜の方法で屋根面２に設置される。
【００３５】
最も第一隅辺３１側に設置される屋根材１はプレカット材１２である。その次に設置される屋根材１は、第一隅辺３１に沿って設置される場合にはプレカット材１２、そうでない場合は通常材１１である。続いて、通常材１１を順次設置する。
【００３６】
最も第二隅辺３２側に設置する屋根材１はカット材１３である。その一つ前に設置される屋根材１は、第二隅辺３２に沿って設置される場合にはカット材１３、そうでない場合は通常材１１である。カット材１３を設置する場合、例えば上記のように複数種類のカット材１３ａ〜１３ｃのうちの一種類のカット材１３を選択し、このカット材１３を施工現場でカットして寸法調整してから、設置する。カット材１３の選択は、カットされた場合に生じる廃材が最も少なくなるようになされることが好ましい。なお、複数種類のカット材１３ａ〜１３ｃのいずれよりも大きい寸法の屋根材１が必要である場合には、カット材１３でなく通常材１１を施工現場でカットしてから設置してもよい。また、カット材１３を使用せず、第二隅辺３２に沿って設置される屋根材１のすべてが、通常材１１をカットして作製されてもよい。
【００３７】
このように設置した屋根材１の棟側に、別の屋根材１を、一部重ねながら、千鳥状に設置する。この場合も、上記と同様にして屋根材１を設置する。これを繰り返すことで、屋根面２に屋根材１を設置する。
【００３８】
最も棟側に設置される屋根材１は、例えば通常材１１を施工現場でカットして軒棟方向の寸法が調整された調整材１５である。この場合、軒棟方向に関しても、屋根面２及び屋根材１の寸法、並びに屋根面２上における屋根材１の設置位置に、過度な精度は要求されなくなる。なお、調整材１５も、プレカット材１２と同様、原材１０をプレカットして作製されてもよい。
【００３９】
上記のように屋根材１を設置すると、屋根面２の第一隅辺３１に沿ってプレカット材１２を設置することで、施工現場で屋根材１をカットする必要性を減らすことができて、手間を削減でき、かつ施工現場で発生する廃材を減らすことができる。この場合、予め設計された配列の仕方で屋根面２に屋根材１を設置すると、屋根面２の形状及び寸法と、原材１０及び通常材１１の形状及び寸法と、屋根材１の配列の仕方とから、プレカット材１２に要求される寸法及び形状を決定できる。そのため、施工現場で屋根材１をカットしなくても、適切な形状及び寸法を有するプレカット材１２を設置できる。
【００４０】
さらに、屋根材１の第一隅辺３１と第二隅辺３２との間の寸法に誤差が生じていたり、屋根材１の寸法に誤差が生じていたり、隣合う屋根材１間に隙間が生じるなどして屋根面２における屋根材１に位置ずれが生じたりしても、本実施形態のように施工現場でカットされた屋根材１を第二隅辺３２に沿って設置すれば、第二隅辺３２に沿って設置される屋根材１を用いて施工現場での寸法調整が可能である。そのため、屋根材１の設置にあたって過度に高い精度が要求されなくなる。
【００４１】
さらに、本実施形態のように屋根面２の第二隅辺３２に沿ってカット材１３を設置すると、プレカット材１２を作製する際に生じた残材６を屋根材１として利用できるので、廃材を削減できる。
【００４２】
本発明に係る屋根材１及びその設置方法は、適宜の形状を有する屋根面２及び屋根材１に適用できる。
【００４３】
例えば、上記の説明では、通常材１１と原材１０とは平面視矩形状であるが、そうでなくてもよい。具体的には、例えば通常材１１と原材１０とは、図６に示すように、平面視において、矩形状から棟側の二つの隅部の角を落とした六角形状であってもよい。
【００４４】
また、上記の説明では、すべての通常材１１は同じ形状であり、すべての原材１０は同じ形状であり、かつ通常材１１と原材１０とは同じ形状であるが、そうでなくてもよい。
【００４５】
例えば、通常材１１と原材１０とは異なる形状を有してもよい。より具体的には、例えば、通常材１１は図６に示す形状を有し、かつ原材１０は図３に示す形状を有してもよい。逆に、通常材１１が図３に示す形状を有し、原材１０が図６に示す形状を有してもよい。
【００４６】
複数の通常材１１は、互いに異なる形状を有する二種以上の通常材１１を含んでもよい。具体的には、複数の通常材１１が図３に示す形状を有する通常材１１と図６に示す形状を有する通常材１１とを含んでもよい。
【００４７】
複数の原材１０も、互いに異なる形状を有する二種以上の原材１０を含んでもよい。具体的には、例えば複数の原材１０が図３に示す形状を有する原材１０と図６に示す形状を有する原材１０とを含んでもよい。
【００４８】
廃材８を削減するためには、原材１０は図３に示す場合のように、中心軸Ｙに対して線対称であることが好ましい。その場合、図７Ａに示すように原材１０をプレカットしてプレカット材１２を作製すると、それにより生じた残材６を中心軸Ｙを中心に１８０°回転させれば、残材６は第二隅辺３２に沿った傾斜辺を有する。そのため、生産工程で残材６を寸法調整のためにカットしてカット材１３を作製する場合は残材６の辺に沿ってカットすればよく、施工現場でカット材１３を更に施工現場でカットする場合もカット材１３の辺に沿ってカットすればよい。そのため、廃材８の量が大きくなりにくい。なお、図７Ａにおける二点鎖線は、カット位置を示す。
【００４９】
これに対して、図６に示す場合のように原材１０が中心軸Ｙに対して線対称でない場合、図７Ｂに示すように原材１０をプレカットしてプレカット材１２を作製すると、それにより生じた残材６から作製されるカット材１３は、回転させずに第二隅辺３２に沿って設置する必要がある。このため、生産工程で残材６を寸法調整のためにカットしてカット材１３を作製する場合は、残材６の辺と交差する方向に沿って残材６をカットしなければならない。そのため、廃材８の量は多くなりやすい。ただし、生産現場において残材６をカットしてカット材１３を作製すれば、施工現場においてはカット材１３の寸法調整をするためにはカット材１３をその辺に沿ってカットすればよい。そのため、施工現場において発生する廃材を削減することができる。すなわち、原材１０が中心軸Ｙに対して線対称でない場合は、生産工程でカット材１３を作製することにより、施工現場における廃材８の発生量を削減する効果が、顕著である。なお、図７Ｂにおける二点鎖線は、カット位置を示す。
【００５０】
また、上記の説明では、カット材１３は第二隅辺３２に沿って設置されるが、カット材１３は第二隅辺３２以外の辺に沿って設置されてもよい。すなわち、カット材１３は、屋根面２の第一隅辺３１以外の少なくとも一つの辺に沿って設置されればよい。カット材１３は、例えば屋根面２の形状、屋根材１の形状、屋根材１の配列の仕方、屋根材１を設置する順番などに応じて、寸法調整の必要性が生じる適宜の辺に沿って設置されうる。
【００５１】
また、例えば上記の説明では寄棟屋根の屋根面２に屋根材１を設置しているが、屋根の形状はこれに限られず、例えば屋根は切妻屋根であってもよい。屋根が切妻屋根である場合の本発明の一実施形態を、図８に示す。
【００５２】
図８に示す実施形態では、屋根は二つの屋根面２を有する。二つの屋根面２は、各々矩形状であり、主棟に臨む棟辺４、棟辺４とは反対側にあり軒先に臨む軒辺５、及び二つのケラバにそれぞれ臨む二つの隅辺３を有する。以下、各屋根面２の二つの隅辺３のうち一方を第一隅辺３１、他方を第二隅辺３２という。
【００５３】
複数の屋根材１は、屋根面２に設置されている。本実施形態では、屋根材１は、屋根面２上に千鳥状に重ね葺きされている。
【００５４】
屋根材１は、通常材１１及びプレカット材１２を含む、本実施形態では、屋根材１は、カット材１３を更に含む。
【００５５】
通常材１１は、図１に示す実施形態の場合と同じ形状を有する。プレカット材１２及びカット材１３は、原材１０から作製される。原材１０は、通常材１１と同じ形状を有する。
【００５６】
プレカット材１２は、屋根面２における、二つの隅辺３のうち一方の隅辺３（第一隅辺３１）に沿って設置されている。原材１０を、軒辺５に対して垂直にカットすることで、第一隅辺３１に沿った辺を有するプレカット材１２が得られる。本実施形態では、複数のプレカット材１２は、互いに同じ寸法を有する。
【００５７】
カット材１３は、屋根面２における、二つの隅辺３のうち第一隅辺３１とは反対側の隅辺３（第二隅辺３２）に沿って設置されている。カット材１３は、その第二隅辺３２側の辺が、屋根面２に設置された状態で第二隅辺３２に沿うような形状を有する。本実施形態では、第二隅辺３２は軒辺５に対して垂直であるので、カット材１３の、第二隅辺３２側の辺も、軒辺５に対して垂直である。
【００５８】
最も棟側に設置される屋根材１は、例えば通常材１１を施工現場でカットして軒棟方向の寸法（第一軸Ｘに沿った方向の寸法）が調整された調整材１５である。また、この調整材１５も、プレカット材１２と同様、原材１０をプレカットして作製されてもよい。
【００５９】
なお、屋根面２の第一隅辺３１に沿って設置されている屋根材１のすべてがプレカット材１２でなくてもよい。例えば図８に示す実施形態では、第一隅辺３１に沿って通常材１１とプレカット材１２とが交互に並んで設置されている。
【００６０】
また、屋根面２の第二隅辺３２に沿って設置されている屋根材１のすべてがカット材１３でなくてもよい。第二隅辺３２に沿って設置されている屋根材１として、カット材１３よりも大きい寸法の屋根材１が必要である場合には、カット材１３でなく通常材１１をカットしてから設置してもよい。図８に示すように、第二隅辺３２に沿って通常材１１とカット材１３とが交互に並んで設置されていてもよい。また、第二隅辺３２に沿って設置される屋根材１が、すべて通常材１１（通常材１１を施工現場でカットして寸法調整したものを含む）であってもよい。
【００６１】
以上の実施形態の説明から明らかなように、本発明の第一の態様に係る屋根材１の施工方法は、複数の屋根材１を屋根面２に設置する屋根材１の施工方法である。屋根材１は、通常材１１と、原材１０をプレカットしたプレカット材１２とを含む。プレカット材１２を、屋根面２における軒側の辺と交差する第一隅辺３１及び第一隅辺３１とは反対側の第二隅辺３２のうち、第一隅辺３１のみに沿って設置する。プレカット材１２は、その第一隅辺３１側の辺が、屋根面２に設置された状態で第一隅辺３１に沿うように、プレカットされている。
【００６２】
第一の態様によれば、屋根材１の施工現場における作業者の手間を削減でき、かつ屋根材１の設置のために過度な精度が要求されない屋根材１の施工方法を提供できる。
【００６３】
本発明の第二の態様に係る屋根材１の施工方法では、第一の態様において、通常材１１及び原材１０は、その中心を通りかつ厚み方向に直交する中心線Ｙに対して線対称な形状を有する。
【００６４】
この場合、原材１０からプレカット材１２を作製する際に生じる残材６を、屋根材１として利用しやすく、そのため、廃材を削減できる。
【００６５】
本発明の第三の態様に係る屋根材１の施工方法では、第一又は第二の態様において、屋根材１は、原材１０をプレカットすることによりプレカット材１２から切り離された残材６から作製されたカット材１３を含み、カット材１３を、そのまま又は更にカットしてから、屋根面２の第一隅辺３１以外の少なくとも一つの辺に沿って設置する。
【００６６】
この場合、プレカット材１２を作製する際に生じる残材６を有効利用することができ、廃材を削減できる。
【００６７】
本発明の第四の態様に係るプレカット材１２は、原材１０をプレカットして作製され、屋根面２における軒側の辺と交差する第一隅辺３１及び第一隅辺３１とは反対側の第二隅辺３２のうち、第一隅辺３１のみに沿って設置される。プレカット材１２の第一隅辺３１側の辺が、屋根面２に設置された状態で第一隅辺３１に沿うように、プレカットされている。
【００６８】
第四の態様によれば、プレカット材１２を屋根面２の第一隅辺３１に沿って設置することにより、屋根材１の施工現場における作業者の手間を削減でき、かつ屋根材１の設置のために過度な精度が要求されなくなる。また、屋根面２の形状に応じたプレカット材１２を用意することができ、プレカット材１２を在庫として保管することが容易である。
【００６９】
本発明の第五の態様に係るカット材１３は、原材１０をプレカットすることにより第四の態様に係るプレカット材１２から切り離された残材６から作製され、そのまま又は更にカットされてから、屋根面２の第一隅辺３１以外の少なくとも一つの辺に沿って設置される。
【００７０】
第五の態様によれば、プレカット材１２を作製する際に生じる残材６を有効利用することができ、廃材を削減できる。
【００７１】
本発明の第六の態様に係る屋根材セットは、屋根面２に設置される複数の屋根材１からなり、複数の屋根材１は、第四の態様に係るプレカット材１２を含む。
【００７２】
第六の態様によると、屋根材１の施工現場における作業者の手間を削減でき、かつ屋根材１の設置のために過度な精度が要求されなくなる。
【００７３】
本発明の第七の態様に係る屋根材セットは、第六の態様において、第五の態様に係るカット材１３を更に含む。
【００７４】
この場合、プレカット材１２を作製する際に生じる残材６を有効利用することができ、廃材を削減できる。
【符号の説明】
【００７５】
１    屋根材
１０  原材
１１  通常材
１２  プレカット材
１３  カット材
２    屋根面
３    隅辺
３１  第一隅辺
３２  第二隅辺
５    軒辺（軒側の辺）
６    残材
Ｙ    中心軸
【図１】
2020153119.tif 000003
【図２】
2020153119.tif 000004
【図３】
2020153119.tif 000005
【図４】
2020153119.tif 000006
【図５】
2020153119.tif 000007
【図６】
2020153119.tif 000008
【図７】
2020153119.tif 000009
【図８】
2020153119.tif 000010